(57)【特許請求の範囲】
【請求項１】
携帯情報端末等が接続されるネットワークに接続された端末装置と、サーバーシステムと、サーバーシステムにアクセスする利用者携帯情報端末とを含み構成されるシステムであって、
前記の端末装置は、
情報提供者が文字データ等の情報を入力するメッセージ入力手段と、
画像や動画像、音声などを撮影又は入力するためのコンテンツ入力手段と、
情報入力手段及びコンテンツ入力手段により入力されたデータを一時記憶する一時記憶手段と、
利用者に対する課金処理をするための課金処理手段と、
課金が正常に行われたことを検知してコンピュータネットワークに接続し、前記の一時記憶されたデータを送信する情報送信手段とを備え、
利用者が所望の画像や動画像、音声等のコンテンツを撮影又は入力し、課金処理が正常に行われたことが判定されるとコンピュータネットワークに接続されて前記のサーバーシステムにデータが送信され登録可能であり、
前記のサーバーシステムは、
前記の端末装置から送信されたデータを記憶し登録する情報記憶手段と、
前記端末装置あるいは前記利用者携帯情報端末から入力されるデータを制御する受信手段と、
登録されたデータを利用者からのアクセス要求に応じてオンラインを通じて利用者携帯情報端末に表示させる情報表示手段と、
当該サーバーシステムによる処理を行うためのプログラムを実行する制御手段と、を備え、
前記情報記憶手段には、利用者情報記憶手段とメッセージ・コンテンツ記憶手段が含まれ、該情報記憶手段に登録されるデータは前記端末装置あるいは前記利用者携帯情報端末から送信され、前記受信手段、前記制御手段経由で収集されるものであり、
前記の登録されたデータを利用者携帯情報端末において閲覧可能なことを特徴とするメッセージ及びコンテンツ登録・表示システム。
【請求項２】
請求項１に記載の発明において、
Ｗｅｂサイト上の掲示板システムにより表示させるものであることを特徴とする、請求項１に記載のメッセージ及びコンテンツ登録・表示システム。
【請求項３】
請求項１に記載の発明において、
情報提供者が前記の情報入力手段により入力する文字データ等の情報には、情報を閲覧させる送信相手先を指定するためのデータが含まれており、
前記の端末装置から送信された情報を記憶し登録する情報記憶手段は、送信相手先ごとにデータを記憶するためのメッセージ記憶手段であって、指定された相手先へのメッセージ及びコンテンツを送信可能なことを特徴とする、請求項１に記載のメッセージ及びコンテンツ登録・表示システム。
【請求項４】
請求項１〜３に記載の発明において、
画像や動画像、音声などを撮影又は入力するためのコンテンツ入力手段は、前記の端末装置に備えられる一又は複数の撮影手段であることを特徴とする、請求項１〜３のいずれかに記載のメッセージ及びコンテンツ登録・表示システム。
【請求項５】
請求項１〜４に記載の発明において、
前記の端末装置が備える課金処理手段は、コインの投入により課金処理を行うコインメカニズムであることを特徴とする、請求項１〜４のいずれかに記載のメッセージ及びコンテンツ登録・表示システム。
【請求項６】
請求項１〜４に記載の発明において、
前記の端末装置が備える課金処理手段は、端末装置が備える情報記憶媒体読み取り手段を用いて、利用者のICカード、磁気カード、その他の情報記憶媒体を読み取ることにより利用者の認証及び課金処理を行うものであることを特徴とする、請求項１〜４のいずれかに記載のメッセージ及びコンテンツ登録・表示システム。
【請求項７】
前記サーバーシステムは、
あらかじめ会員登録などにより登録された利用者に関する年齢、趣味、身分、収入、職業、居住地域、その他の様々な個人情報などの属性情報を前記利用者情報記憶手段に格納する一方、
利用者が顔写真などのコンテンツとメッセージとを登録する際に、前記メッセージ・コンテンツ記憶手段に利用者の顔写真などのコンテンツとメッセージとを格納するとともに、
メンバー募集、交際相手募集、仕事募集、その他の募集などのメッセージ掲載にあたって、当該利用者によって希望する相手の属性情報が選択・指定等がなされると、希望する相手の属性情報とマッチする利用者を、前記利用者情報記憶手段に記憶されている利用者に関する属性情報を検索することにより抽出するマッチング処理を行う
ことを特徴とする、請求項１〜６のいずれかに記載のメッセージ及びコンテンツ登録・表示システム。
【請求項８】
前記メッセージ・コンテンツ記憶手段には、利用者ごとのフォルダ構造に記憶管理され、各フォルダ下にはコンテンツファイルとメッセージファイルが格納されており、
前記サーバーシステムは、商品写真などのコンテンツとメッセージをコンテンツファイルに格納して登録するとともに、お店紹介、バーゲン情報、広告メッセージ、その他のメッセージをメッセージファイルに格納して登録を行うことを特徴とする、請求項１〜６のいずれかに記載のメッセージ及びコンテンツ登録・表示システム。
【請求項９】
前記メッセージ・コンテンツ記憶手段には、利用者ごとのフォルダ構造に記憶管理され、各フォルダ下にはコンテンツファイルとメッセージファイルが格納されており、
前記サーバーシステムは、賞品写真などのコンテンツとメッセージをコンテンツファイルに格納して登録するとともに、懸賞紹介、懸賞応募者募集、抽選告知・応募者募集、コンテスト告知・応募者募集、その他のメッセージをメッセージファイルに格納して登録を行うことを特徴とする、請求項１〜６のいずれかに記載のメッセージ及びコンテンツ登録・表示システム。
【請求項１０】
前記のサーバーシステムには、利用者ごとの課金処理情報を記憶するための課金情報記憶手段が備えられ、
端末装置が備える課金処理手段を用いてプリペイドで料金を支払うことにより、端末装置からサーバーシステムの課金情報記憶手段に料金分のポイントを加算されることを特徴とする、請求項１〜９のいずれかに記載のメッセージ及びコンテンツ登録・表示システム。
【請求項１１】
前記サーバーシステムは登録されたメッセージを表示させるためのＨＴＭＬファイルやＣＨＴＭＬファイルやその他のファイルを生成し、該ファイルに送信者の電子メールアドレスへのハイパーリンクを挿入することによって、登録されたメッセージに対する返信を利用者携帯情報端末から行えるようにしたことを特徴とする、請求項１〜１０のいずれかに記載のメッセージ及びコンテンツ登録・表示システム。
【請求項１２】
前記サーバーシステムは、利用者が使用可能な金銭に換算可能なポイントの残高を前記課金情報記憶手段にて管理し、利用料金分のポイントをポイント残高から引き落としをすることにより、課金処理を行うとともに、
前記サーバーシステムは登録されたメッセージを表示させるためのＨＴＭＬファイルやＣＨＴＭＬファイルやその他のファイルを生成し、該ファイルに送信者の電子メールアドレスへのハイパーリンクを挿入することによって、登録されたメッセージに対する返信を利用者携帯情報端末から行えるようにし、返信が行われた際に発生する課金処理は前記課金情報記憶手段を参照して、返信を行う利用者、又はメッセージ登録者に対して行われることを特徴とする、請求項１０に記載のメッセージ及びコンテンツ登録・表示システム。
【請求項１３】
前記のサーバーシステムには、利用者ごとの課金処理情報を記憶するための課金情報記憶手段が備えられ、端末装置が備える課金処理手段を用いてプリペイドで料金を支払うことにより、端末装置からサーバーシステムの課金情報記憶手段に料金分のポイントが加算され、課金処理を行う際には、前記課金情報記憶手段にて管理されているポイント残高から利用料金分のポイントの引き落としをするとともに、
前記サーバーシステムは登録されたメッセージを表示させるためのＨＴＭＬファイルやＣＨＴＭＬファイルやその他のファイルを生成し、該ファイルに送信者の電子メールアドレスへのハイパーリンクを挿入することによって、登録されたメッセージに対する返信を利用者携帯情報端末から行えるようにし、利用者同士のマッチングが成立した場合に発生する課金処理は前記課金情報記憶手段を参照して、返信を行う利用者、又はメッセージ登録者に対して行われることを特徴とする、請求項７に記載のメッセージ及びコンテンツ登録・表示システム。
【発明の詳細な説明】
【０００１】
【発明の属する技術分野】
本発明は、携帯電話などの携帯情報端末などが接続されるコンピュータネットワークにおいて、利用者が写真やメッセージなどの情報を店舗などに設置される端末装置から課金処理を経ることにより登録し、携帯端末において表示させるシステムに関する。
【０００２】
【発明が解決しようとする課題】
近年、コンピュータ・ネットワークや通信環境の発達に伴い、インターネットに代表される商業活動などのビジネスが活発になってきている。ショッピング・モールなどのＷｅｂサイトも多数存在し、また、それらに伴い、Ｗｅｂ上での広告等の情報を表示させることもますます盛んになっている。
オンライン上での広告情報の表示には、クリック等をするとより詳細な情報が表示される画像等のバナー広告の掲載をはじめ、様々な手法が開発されている。
一方、パーソナル・コンピュータなどの情報機器以外にも、携帯情報端末や、携帯電話、ＰＨＳ、さらにはインターネットＴＶやゲーム機器などの情報家電などが広く普及している。
携帯電話などの中には、ブラウザ機能を搭載したものも登場し、携帯電話端末から、インターネットのＷｅｂページを閲覧することも可能になっている。
【０００３】
このような中で、従来、パーソナルコンピュータなどを用いたインターネット利用の電子掲示板システムにおいては、テキストデータと共に画像データを投稿することも可能になっていた。
またインターネット利用の電子メールシステムを用いて、特定の相手にメッセージを送信する場合に、画像データなどのコンテンツを送信する場合には、画像データを添付したり、ＨＴＭＬ形式の電子メールなどにより実現することが可能であった。
【０００４】
一方、インターネットが利用可能な携帯電話、例えばｉモード（商標）などを利用して、画像を含むＷＥＢページの閲覧をしたり、画像の送信を行うための技術も開発されている。また携帯電話から閲覧可能な電子掲示板も開発されている。
この場合に、携帯電話会社（通信キャリア）各社ごとに電子メールやＷＥＢファイルなどの形式が異なるため、これらの違いを意識することなく画像や動画像、音声などのコンテンツを含むメッセージを送受信できれば便利である。
例えば、人の顔写真をメッセージに添付したり、商品写真を掲載したりという応用をすることにより、様々な分野に応用可能なシステムを実現できるものとなる。
しかしながら、こうしたシステムの運営に際しては、閲覧する利用者からの利用料金を徴収するか、あるいは広告を掲載して広告収入により運営するかが従来は必要であった。これをメッセージを送信する者が負担して、課金処理が行われることを条件として送信できるようにすれば、適切な課金処理が実現できる。また、画像や動画像の撮影、音声の入力、通信費用を含む課金処理、送信が簡易な操作で半ば自動的にできるようになれば、利用者は増大し、しかもそのための端末装置をあらかじめ各地に設置するようにすればより利用しやすいシステムが実現できる。
【課題を解決するための手段】
【０００５】
そこで、本発明においては、上記課題を解決するため、請求項１に記載の発明においては、携帯情報端末等が接続されるネットワークに接続された端末装置と、サーバーシステムと、サーバーシステムにアクセスする利用者携帯情報端末とを含み構成されるシステムであって、
前記の端末装置は、
情報提供者が文字データ等の情報を入力するメッセージ入力手段と、
画像や動画像、音声などを撮影又は入力するためのコンテンツ入力手段と、
情報入力手段及びコンテンツ入力手段により入力されたデータを一時記憶する一時記憶手段と、
利用者に対する課金処理をするための課金処理手段と、
課金が正常に行われたことを検知してコンピュータネットワークに接続し、前記の一時記憶されたデータを送信する情報送信手段とを備え、
利用者が所望の画像や動画像、音声等のコンテンツを撮影又は入力し、課金処理が正常に行われたことが判定されるとコンピュータネットワークに接続されて前記のサーバーシステムにデータが送信され登録可能であり、
前記のサーバーシステムは、
前記の端末装置から送信されたデータを記憶し登録する情報記憶手段と、
前記端末装置あるいは前記利用者携帯情報端末から入力されるデータを制御する受信手段と、
登録されたデータを利用者からのアクセス要求に応じてオンラインを通じて利用者携帯情報端末に表示させる情報表示手段と、
当該サーバーシステムによる処理を行うためのプログラムを実行する制御手段と、を備え、
前記情報記憶手段には、利用者情報記憶手段とメッセージ・コンテンツ記憶手段が含まれ、該情報記憶手段に登録されるデータは前記端末装置あるいは前記利用者携帯情報端末から送信され、前記受信手段、前記制御手段経由で収集されるものであり、
前記の登録されたデータを利用者携帯情報端末において閲覧可能なことを特徴とするメッセージ及びコンテンツ登録・表示システムであることを特徴としている。
【０００６】
また、上記課題を解決するため、請求項２に記載の発明においては、請求項１に記載の発明において、
Ｗｅｂサイト上の掲示板システムにより表示させるものであることを特徴とする、請求項１に記載のメッセージ及びコンテンツ登録・表示システムであることを特徴としている。
【０００７】
また、上記課題を解決するため、請求項３に記載の発明においては、請求項１に記載の発明において、
情報提供者が前記の情報入力手段により入力する文字データ等の情報には、情報を閲覧させる送信相手先を指定するためのデータが含まれており、
前記の端末装置から送信された情報を記憶し登録する情報記憶手段は、送信相手先ごとにデータを記憶するためのメッセージ記憶手段であって、指定された相手先へのメッセージ及びコンテンツを送信可能なことを特徴とする、請求項１に記載のメッセージ及びコンテンツ登録・表示システムであることを特徴としている。
【０００８】
また、上記課題を解決するため、請求項４に記載の発明においては、請求項１〜３に記載の発明において、
画像や動画像、音声などを撮影又は入力するためのコンテンツ入力手段は、前記の端末装置に備えられる一又は複数の撮影手段であることを特徴とする、請求項１〜３のいずれかに記載のメッセージ及びコンテンツ登録・表示システムであることを特徴としている。
【０００９】
また、上記課題を解決するため、請求項５に記載の発明においては、請求項１〜４に記載の発明において、
前記の端末装置が備える課金処理手段は、コインの投入により課金処理を行うコインメカニズムであることを特徴とする、請求項１〜４のいずれかに記載のメッセージ及びコンテンツ登録・表示システムであることを特徴としている。
【００１０】
また、上記課題を解決するため、請求項６に記載の発明においては、請求項１〜４に記載の発明において、
前記の端末装置が備える課金処理手段は、端末装置が備える情報記憶媒体読み取り手段を用いて、利用者のICカード、磁気カード、その他の情報記憶媒体を読み取ることにより利用者の認証及び課金処理を行うものであることを特徴とする、請求項１〜４のいずれかに記載のメッセージ及びコンテンツ登録・表示システムであることを特徴としている。
【００１１】
また、上記課題を解決するため、請求項７に記載の発明においては、前記サーバーシステムは、
あらかじめ会員登録などにより登録された利用者に関する年齢、趣味、身分、収入、職業、居住地域、その他の様々な個人情報などの属性情報を前記利用者情報記憶手段に格納する一方、
利用者が顔写真などのコンテンツとメッセージとを登録する際に、前記メッセージ・コンテンツ記憶手段に利用者の顔写真などのコンテンツとメッセージとを格納するとともに、
メンバー募集、交際相手募集、仕事募集、その他の募集などのメッセージ掲載にあたって、当該利用者によって希望する相手の属性情報が選択・指定等がなされると、希望する相手の属性情報とマッチする利用者を、前記利用者情報記憶手段に記憶されている利用者に関する属性情報を検索することにより抽出するマッチング処理を行う
ことを特徴としている。
【００１２】
また、上記課題を解決するため、請求項８に記載の発明においては、前記メッセージ・コンテンツ記憶手段には、利用者ごとのフォルダ構造に記憶管理され、各フォルダ下にはコンテンツファイルとメッセージファイルが格納されており、
前記サーバーシステムは、商品写真などのコンテンツとメッセージをコンテンツファイルに格納して登録するとともに、お店紹介、バーゲン情報、広告メッセージ、その他のメッセージをメッセージファイルに格納して登録を行うことを特徴とする、メッセージ及びコンテンツ登録・表示システムであることを特徴としている。
【００１３】
また、上記課題を解決するため、請求項９に記載の発明においては、前記メッセージ・コンテンツ記憶手段には、利用者ごとのフォルダ構造に記憶管理され、各フォルダ下にはコンテンツファイルとメッセージファイルが格納されており、
前記サーバーシステムは、賞品写真などのコンテンツとメッセージをコンテンツファイルに格納して登録するとともに、懸賞紹介、懸賞応募者募集、抽選告知・応募者募集、コンテスト告知・応募者募集、その他のメッセージをメッセージファイルに格納して登録を行うことを特徴とする、請求項１〜６のいずれかに記載のメッセージ及びコンテンツ登録・表示システムであることを特徴としている。
【００１４】
また、上記課題を解決するため、請求項１０に記載の発明においては、前記のサーバーシステムには、利用者ごとの課金処理情報を記憶するための課金情報記憶手段が備えられ、
端末装置が備える課金処理手段を用いてプリペイドで料金を支払うことにより、端末装置からサーバーシステムの課金情報記憶手段に料金分のポイントを加算されることを特徴とする、請求項１〜９のいずれかに記載のメッセージ及びコンテンツ登録・表示システムであることを特徴としている。
【００１５】
また、上記課題を解決するため、請求項１１に記載の発明においては、請求項１〜１０に記載の発明において、
前記サーバーシステムは登録されたメッセージを表示させるためのＨＴＭＬファイルやＣＨＴＭＬファイルやその他のファイルを生成し、該ファイルに送信者の電子メールアドレスへのハイパーリンクを挿入することによって、登録されたメッセージに対する返信を利用者携帯情報端末から行えるようにしたことを特徴とする、請求項１〜１０のいずれかに記載のメッセージ及びコンテンツ登録・表示システムであることを特徴としている。
【００１６】
また、上記課題を解決するため、請求項１２に記載の発明においては、請求項１１に記載の発明において、
前記サーバーシステムは、利用者が使用可能な金銭に換算可能なポイントの残高を前記課金情報記憶手段にて管理し、利用料金分のポイントをポイント残高から引き落としをすることにより、課金処理を行うとともに、
前記サーバーシステムは登録されたメッセージを表示させるためのＨＴＭＬファイルやＣＨＴＭＬファイルやその他のファイルを生成し、該ファイルに送信者の電子メールアドレスへのハイパーリンクを挿入することによって、登録されたメッセージに対する返信を利用者携帯情報端末から行えるようにし、返信が行われた際に発生する課金処理は前記課金情報記憶手段を参照して、返信を行う利用者、又はメッセージ登録者に対して行われることを特徴とする、請求項１０に記載のメッセージ及びコンテンツ登録・表示システムであることを特徴としている。
【００１７】
また、上記課題を解決するため、請求項１３に記載の発明においては、前記のサーバーシステムには、利用者ごとの課金処理情報を記憶するための課金情報記憶手段が備えられ、端末装置が備える課金処理手段を用いてプリペイドで料金を支払うことにより、端末装置からサーバーシステムの課金情報記憶手段に料金分のポイントが加算され、課金処理を行う際には、前記課金情報記憶手段にて管理されているポイント残高から利用料金分のポイントの引き落としをするとともに、
前記サーバーシステムは登録されたメッセージを表示させるためのＨＴＭＬファイルやＣＨＴＭＬファイルやその他のファイルを生成し、該ファイルに送信者の電子メールアドレスへのハイパーリンクを挿入することによって、登録されたメッセージに対する返信を利用者携帯情報端末から行えるようにし、利用者同士のマッチングが成立した場合に発生する課金処理は前記課金情報記憶手段を参照して、返信を行う利用者、又はメッセージ登録者に対して行われることを特徴とする、請求項７に記載のメッセージ及びコンテンツ登録・表示システムであることを特徴としている。
【００１９】
【発明の実施の形態】
以下、本発明の実施形態について図面を参照して説明する。
本発明のメッセージ及びコンテンツ登録・表示システムは、携帯電話をはじめとする携帯情報端末等が接続されるネットワークに接続された端末装置と、サーバーシステムと、サーバーシステムにアクセスする利用者携帯情報端末とを含み構成されるシステムである。
また前記ネットワークには、有線及び無線通信回線のいずれをも含む。
【００２０】
図１は、本発明が備える端末装置の構成を示すブロック図である。
図１において、符号１は端末装置、２はサーバーシステム、３は利用者携帯情報端末、４は携帯電話会社など通信キャリアのゲートウェイサーバー、５はインターネットを示す。
前記の端末装置１は、利用者が文字データ等の情報を入力するメッセージ入力手段１２と、画像や動画像、音声などを撮影又は入力するためのコンテンツ入力手段１１と、メッセージ入力手段及びコンテンツ入力手段により入力されたデータを一時記憶する一時記憶手段１３と、利用者に対する課金処理をするための課金処理手段１５と、課金が正常に行われたことを検知してコンピュータネットワークに接続し、前記の一時記憶されたデータを送信する情報送信手段１６とを備える。
【００２１】
メッセージ入力手段１２は、端末装置１に備えられるキーボードやマウス、タッチパネル、タブレットなどのほか、各種の装置が含まれる。タッチパネルにより入力・選択などの操作を行う場合には、ディスプレイなどの表示手段１０に表示される画面が制御手段１４により表示される。
コンテンツ入力手段１１は、ＣＣＤカメラなどの撮影手段であり、静止画像をはじめ、動画像、音声などを撮影等して、端末装置の一時記憶手段に記憶するために入力する手段である。
一時記憶手段１３は、磁気記憶媒体その他の記憶手段であり、メッセージ入力手段及びコンテンツ入力手段により入力されたデータを、サーバーシステムに送信する前までの間一時記憶しておくためのものである。
【００２２】
一時記憶手段は、ハードディスクなどの外部記憶装置であることが通常である。また制御手段１４はＣＰＵやメモリなどにより構成される。制御手段により動作するプログラムは、メモリや外部記憶装置などの記憶手段に格納されている。情報送信手段１６は、インターネットを通じてサーバーシステム２との間で情報の送受信をするための入出力インターフェースであり、本発明においては課金処理が正常に行われたことを制御手段１４が検知して、自動的に接続する形態が望ましい。
利用者が所望の画像や動画像、音声等のコンテンツを撮影又は入力し、課金処理が行われたことによりコンピュータネットワーク５に接続されて前記のサーバーシステム２にデータ登録可能であり、その処理については後述する。
【００２３】
課金処理手段１５としては、請求項５のように、コインの投入により課金処理を行うコインメカニズムを設置することができる。利用者がコイン（貨幣等）を投入し、金額がカウントされて所定の金額の課金処理が行われると、制御手段にその処理が正常に完了したことを通知する。
また請求項６のように、端末装置が備える情報記憶媒体読み取り手段を用いて、利用者のICカード、磁気カード、その他の情報記憶媒体を読み取ることにより利用者の認証及び課金処理を行う課金処理手段とすることもできる。
例えば利用者のクレジットカード、デビッドカード、プリペイドカード、あるいは課金処理のための認証情報が記憶されたメモリースティック（商標）などの磁気記憶媒体などを読み取る情報記憶媒体読み取り手段を用いて、利用者が情報記憶媒体を読み取らせ、認証処理がされて所定の課金処理が行われると、制御手段にその処理が正常に完了したことを通知する。
あるいは携帯電話などの利用者携帯情報端末が備えるハードウェア又はメモリースティック（商標）などの外部記憶装置に課金処理のための認証情報が記憶され、情報記憶媒体読み取り手段を用いて、利用者が情報記憶媒体を読み取らせ、認証処理がされて所定の課金処理が行われると、制御手段にその処理が正常に完了したことを通知するものであってもよい。
あるいは端末装置を設置する店舗等（例えばコンビニエンスストア）において料金を支払うことによりプリペイドカードなどの情報記憶媒体が発行され、あるいはバーコードなどの認証手段が発行され、これを情報記憶媒体読み取り手段により読み取らせて認証を行う形態であってもよい。
【００２４】
次に、本発明のメッセージ及びコンテンツ登録・表示システムが備える前記のサーバーシステム２について説明する。
図２は、サーバーシステム２の構成の一例を示している。
このような大型コンピュータであるサーバーは、基本的には下記のハードウェア構成である。
すなわち、ＯＳやアプリケーション・プログラムを制御する制御手段と、メッセージやコンテンツ、利用者情報、ＯＳやアプリケーション・プログラムなどを記憶するための記憶手段と、通信回線を介して利用者端末に接続したり、インターネットに接続する接続手段を有し、必要に応じて表示手段や入力手段を備えている。ユーザーはサーバーを介してインターネットに接続することで、本発明のシステムを用いて情報の閲覧や登録が可能になる。
【００２５】
サーバーシステム２は、前記の端末装置から送信されたデータを記憶し登録する情報記憶手段と、登録されたデータを利用者からのアクセス要求に応じてオンラインを通じて利用者携帯情報端末に表示させる情報表示手段と、を備えている。
【００２６】
図２において、符号２は本発明のシステムのサーバシステムであり、符号４はインターネットが利用可能な携帯電話を使った情報配信サービスを行っている通信キャリアゲートウェイサーバーであり、経路制御装置を経由して、インターネットに接続されている。
また、該サーバー２は、経路制御装置、通信キャリアのゲートウェイサーバー４への接続を可能にするパケット通信網を経由して、インターネットに接続されている。一方、図示しないが、インターネットを介して前記の一又は複数の端末装置と接続され、情報の送受信が可能に設置されている。
図１の符号３は携帯電話等の利用者携帯情報端末であり、インターネットに接続される。
【００２７】
図２において、受信手段２１は前記の端末装置１、あるいはインターネットが利用可能な携帯電話等の利用者携帯情報端末３から入力されるデータを制御する。端末装置１から送信されたメッセージやコンテンツをどこに記憶させるか、あるいは特定の相手先へのメッセージはどのアドレスへのメッセージであるかを判定して所定の場所に記憶させるなどの機能を有する。
表示手段２０はウェブ上への出力制御手段であり、前記の端末装置１、あるいはインターネットが利用可能な携帯電話等の利用者携帯情報端末３に出力されるデータを制御する。表示手段２０は制御手段２２経由で処理された情報を、掲示板などにおいては不特定多数に（又はアクセスを許可された者のみに対し）ＷＥＢ上において閲覧可能にし、メッセージやコンテンツを表示させるためのＨＴＭＬファイル、ＣＨＴＭＬファイル、その他のファイルを生成するものである。またＷＥＢメールや特定の相手先のみに閲覧させるメッセージなどにおいては宛先となる相手に対し受信可能にするためのファイルを生成する。
【００２８】
制御手段２２には、上記の様々な処理を行うためのプログラムが記憶されており、例えば、端末の表示部にメニュー画面を表示させるプログラムや、会員の会員ＩＤ番号とパスワードとを入力することによって自分宛てのメッセージを閲覧等するためのログイン画面を表示させるプログラム、メッセージに対し返信された内容を自動的に記憶手段の相手先のアドレスに転送し、相手に閲覧可能にさせる等のプログラム等から構成される。符号４は上述のとおり、通信キャリアのゲートウェイサーバーとして、インターネットが利用可能な携帯電話に対する情報の入出力の窓口となる。
【００２９】
利用者情報記憶手段２３は利用者のデータベースが格納されたファイルを有するサーバーであり、受信手段２１、制御手段２２経由で収集された利用者の情報を記録・管理する機能を有する。
本発明のシステムにおいて、メッセージやコンテンツの送受信に、請求項３に記載のように、電子メールやＷＥＢメールなどのメッセージ送受信形式、あるいは特定の者のみが閲覧可能な掲示板やパスワードなどで保護されたＷＥＢページを用いる場合には、利用者情報を記憶させることを要する。
すなわち請求項３に記載の発明においては、利用者が前記の情報入力手段により入力する文字データ等の情報には、情報を閲覧させる送信相手先を指定するためのデータが含まれており、前記の端末装置から送信された情報を記憶し登録する情報記憶手段は、送信相手先ごとにデータを記憶するためのメッセージ記憶手段であって、指定された相手先へのメッセージ及びコンテンツを送信可能なことを特徴とする。
したがって利用者に対して、会員制サービスとして会員登録を促し、利用者ごとのデータベースを構築する。
利用者が会員登録する際に入力するのは、例えば氏名、住所、電話番号、携帯電話の番号、電子メールアドレス、性別、生年月日、職業、セキュリティー等のためにユーザーが設定するパスワード、ＩＤ記号等が挙げられる。
あるいは氏名や住所などの詳細な情報を登録しなくてもＩＤとパスワード、電子メールアドレス等を登録する形態でもよい。
【００３０】
メッセージ・コンテンツ記憶手段２４は、前記のメッセージやコンテンツなどのファイル等を記憶する記憶手段である。
バックアップ記憶手段２５は、前記の各記憶手段に記憶される情報が破損・消滅した場合にバックアップが行えるよう、情報を随時記録・保管する機能を有する。
【００３１】
なお、前記したサーバーシステムの構成は一例であって、各記憶手段は物理的に別個の装置でもよく、あるいは単一の装置でもよく、さらには分散型データベースの構成をとることもできる。物理的に図２に見られる構成に限定されるものではなく、同様の機能が実現可能な様々な形態をとることができる。
【００３２】
次に、利用者携帯情報端末３は、本発明においてはコンピュータネットワークを介して後述する前記のサーバーシステム２に接続するために用いられる。
本発明で用いられる利用者携帯情報端末３は、例えば携帯電話、ＰＨＳ等の各種の携帯情報端末、インターネットが利用可能なゲーム機器、ＴＶなどである。
【００３３】
以下、本発明の実施形態の基本的な処理の流れについて説明する。
なお、ここに示す処理の流れは具体的な一例であって、これに限定されるものではない。
図３から図６は、本発明の基本的な処理の流れの一例を示すフローチャートである。
また図７は、前記のメッセージ・コンテンツ記憶手段の詳細な一例を示す図である。
また図８から図１０は、本発明の実施形態の一例を示す携帯電話など携帯情報端末の画面を示す画面イメージ図である。
【００３４】
初めに、あらかじめ会員登録などにより利用者に関する情報をサーバーシステム２において登録しておく場合には、インターネットへの接続が可能なパーソナルコンピュータ端末あるいは携帯電話などの携帯情報端末から入力され送信された情報を、サーバーシステム２が備える利用者情報記憶手段２３に格納していく。
利用者情報記憶手段２３には、会員の氏名、会員番号(携帯電話からの登録の場合は携帯電話の番号などでも可)、電話番号、電子メールアドレス、性別、生年月日、職業、住所と郵便番号、会員パスワード等が記憶される。なおこれらは例示であって、これらすべての情報を記憶することは必須ではなく、あるいはこれら以外の情報を記憶することもできる。
【００３５】
次に、利用者が、端末装置１からメッセージ及びコンテンツを登録する際の処理の流れについて説明する。
図３において、利用者は、例えばコンビニエンスストア、ゲームセンターなどの店舗やその他の場所に設置されている端末装置１が備える、課金処理手段１５により利用料金を支払い、課金処理がされる。課金処理は、コンテンツやメッセージを入力して、サーバーシステム２に送信する際に行われるようにしてもよいが、図３においては利用開始時に料金を支払う例を示す。また課金処理手段としてはコインメカニズムによる例を示している。
【００３６】
初めに利用者が、課金処理手段２であるコインメカニズムにコインを投入し（Ｓ１００）、コインメカニズムにおいて金銭種別等を判定して金額をカウントし（Ｓ１０１）、所定の利用料金が支払われたか否かを判定する（Ｓ１０３）。
支払われた所定の料金は、課金処理手段２が収受する（Ｓ１０４）。
次に、利用者は、コンテンツ入力手段１１により撮影を行うが、操作は例えば表示手段１０にメニュー画面が表示され、好ましくい一実施例としてはタッチパネル式のディスプレイを用いることによりメニューから撮影するためのメニューを選択する（Ｓ１０４）。
【００３７】
コンテンツ入力手段１１は、デジタルカメラ、デジタルビデオカメラなどに利用されるＣＣＤカメラなどであり、一つのカメラが備えられる形態や、あるいは利用者の顔などを写しやすいように水平方向を向いたカメラと、物などを移しやすいように垂直方向を向いたカメラを組合せるなど、複数のコンテンツ入力手段が備えられる形態であってもよい。
なお、コンテンツ入力手段１１としては、他にも、画像データを読み取るためのスキャナ装置、フィルムスキャナ装置や、音声データを録音するためのマイクなどを用いることができる。
【００３８】
次に、カメラによる撮影などの場合には、表示手段１０には撮影範囲を示しプレビュー画像等が確認できるように撮影されるフレームが表示される（Ｓ１０５）。
利用者は画面を確認し、撮影ボタンの操作により、望ましくはセルフタイマー機能を用いて撮影を行い（Ｓ１０５）、撮影された画像は画像ファイルとして一時記憶手段１３に記憶されると共に、画像ファイルを制御手段１４が表示手段１０に表示される。これにより撮影された画像を利用者が確認する。
画像コンテンツはこれでよいか否かを利用者が選択できるようにすることが望ましく（Ｓ１０９）、再撮影を行えるようにすることもできる。再撮影をする場合には、複数の画像ファイルを一時記憶手段１３に記憶した上で、表示手段１０に表示させ、その中から利用者が選択可能にすることもできる。
また画像コンテンツを複数選んでサーバーシステムに送信できるようにしたり、画像コンテンツと音声コンテンツとを送信できるようにしてもよい。
【００３９】
次に、利用者はテキストデータなどのメッセージを入力するために、表示手段１０に表示されるメニューの中からメッセージ入力メニューを選択する（Ｓ１１０）。なおこれは一例であって、メッセージとコンテンツのどちらを先に入力するかなどは変更して実施することができる。
利用者は、タッチパネル、キーボード等のメッセージ入力手段１２を用いて、画面を確認しながらメッセージを入力する（Ｓ１１１）。入力されたメッセージは一時記憶手段１３に記憶される。
また、送信者である利用者の名前や電子メールアドレス、あるいは特定の相手先に送信する場合の相手先を指定する電子メールアドレスや、利用者ＩＤなどを入力する。
【００４０】
また、表示手段１０において送信方法メニューを選択する（Ｓ１１２）が、図４の例では、不特定多数あるいは特定の者が閲覧可能な電子掲示板に投稿するか、特定の相手先アドレスにＷＥＢメール等の形式で送信するかの選択が行える例を示している。
掲示板に投稿し（Ｓ１１４）、送信前にメッセージ内容はこれでよいか（Ｓ１１７）、送信者名が記入されているか（Ｓ１１８）等の判定を制御手段１４が行い、確認画面を表示させることが望ましい。
【００４１】
また特定の相手先アドレスにＷＥＢメール等の形式で送信する（Ｓ１１５）場合などにも、相手先アドレスを入力・指定し（Ｓ１１６）、送信前にメッセージ内容はこれでよいか（Ｓ１１７）、送信者名が記入されているか（Ｓ１１８）、受信者が指定されているか等の判定を制御手段１４が行い、確認画面を表示させることが望ましい。
また特定の相手先のみに送信する場合には、相手先の電子メールアドレスを指定する場合のほか、会員ごとに設けられた会員専用のＷＥＢファイルを指定するためのＵＲＬ又はＵＲＬに変換されるＩＤを指定する方法などが含まれる。
【００４２】
次に表示手段１０において送信する操作を選択する（Ｓ１１９）が、本発明においては、課金処理が正常にされたことにより送信を行えるので、Ｓ１２０においては課金処理が済んでいるか否かを制御手段により判定し（Ｓ１２０）、済んでいる場合には自動的に接続して（Ｓ１２１）、サーバーシステム２にアクセスする。
また課金処理はＳ１００では行わずにここで初めておこなうこともでき、あるいはＳ１００においてまず利用料金を収受し、次いでＳ１２４において不足分あるいは通信料金を収受するようにしてもよい。
【００４３】
一時記憶手段１３に一時記憶されていたメッセージ及びコンテンツのデータファイルは上記の操作により送信され（Ｓ１２２）、サーバーシステム２において受信される（Ｓ１２３）。
サーバーシステム２においては、受信手段２１が、受信したメッセージの種類を判定し（Ｓ１２６）、不特定多数あるいは特定の者に公開する掲示板への投稿であるのか、特定の相手先を宛先としたメッセージであるのかなどを判定する。
また電子掲示板が複数設置されている場合に、どの掲示板への投稿であるのかを受信手段２１が判定し、判定結果に従いメッセージ・コンテンツ記憶手段２４の所定のフォルダ等の記憶場所に記憶させる（Ｓ１２８）。
【００４４】
送信されたメッセージ及びコンテンツを、電子掲示板に表示させるために所定の場所に格納する手段としては、ＣＧＩプログラムやＪＡＶＡなどによるプログラムにより、新しく記憶されたメッセージを加えて記憶すると共に、画像ファイルなどのコンテンツの所在をハイパーリンクなどで指定するデータを加えて記憶するデータファイルとして格納し、閲覧する利用者がアクセスした際に表示手段２０がこのデータファイルを読み込んでＨＴＭＬファイルやＣＨＴＭＬファイルを生成して表示されるようにする。
【００４５】
また特定の相手先のみに送信する場合には、サーバーシステム２においては、受信手段２１が、受信したメッセージの種類を判定し（Ｓ１２６）、特定の相手先を宛先としたメッセージであるのかなどを判定する。どの相手先への投稿であるのかを受信手段２１が判定し（Ｓ１２９）、判定結果に従いメッセージ・コンテンツ記憶手段２４の所定のフォルダ等の記憶場所に記憶させる（Ｓ１３０）。
図７は、メッセージ・コンテンツ記憶手段２４のデータ記憶構造の一例を示すものであり、相手先となる利用者ごとの階層構造、フォルダ構造によりメッセージ及びコンテンツを記憶する。記憶されるメッセージには電子メールやＷＥＢメール形式のデータや、アクセスを許可される特定の者のみが閲覧可能なＨＴＭＬファイル、ＣＨＴＭＬファイル、その他のファイル形式のデータを含むことができる。
【００４６】
次に、Ｓ１２８又はＳ１３０においてメッセージ及びコンテンツを、メッセージ・コンテンツ記憶手段２４の所定のフォルダ等の記憶場所に記憶させた場合に、メッセージの宛先として記述されている相手先の電子メールアドレス、あるいはメッセージ送信者の電子メールアドレスに対し、サーバーシステム２は、電子メールによりメッセージを受信したことを通知することができる。通知として相手先又は送信者に送信される電子メールには、メッセージの所在するＵＲＬなどへのハイパーリンクを記述するようにすれば、利用者の携帯情報端末３からアクセスしてメッセージを閲覧するために便利である。
図８は、サーバーシステム２が電子掲示板へのメッセージを受理したことをメッセージ送信者に通知する電子メールの一例を示す。
また図９は、サーバーシステム２がＷＥＢメール形式などの特定の相手先へのメッセージを受理したことを相手先に通知する電子メールの一例を示す。
また図１０は、コンテンツとして画像を用いたメッセージを利用者携帯情報端末３において閲覧する画面イメージである。
【００４７】
図６は、利用者携帯情報端末３からメッセージを閲覧する基本的な処理の流れを示している。
初めに、携帯情報端末３からインターネットに接続し（Ｓ１３１）、通信キャリアゲートウェイサーバー４を介してサーバーシステム２にアクセスする（Ｓ１３２）。
表示手段２０により、ＣＨＴＭＬファイルなどで構成されるＷＥＢサイトにアクセスし、電子掲示板の閲覧、ＷＥＢメールなどの閲覧、返信の投稿などのメニューを示すメニュー画面等を表示させる（Ｓ１３３）。
いずれを閲覧するかを選択し（Ｓ１３４）、電子掲示板を閲覧する場合に電子掲示板が複数ある場合にはさらにどの電子掲示板を閲覧するかを選択する（Ｓ１３５）。
【００４８】
ここで、特定の者のみが閲覧可能なようにアクセス制限がされている電子掲示板、例えば会社内などの組織やグループ限定の電子掲示板、会員制の電子掲示板などの場合にはＩＤやパスワードなどを用いて、制御手段２２が利用者情報記憶手段２３を参照して照合することにより利用者の認証を行う（Ｓ１３７）。
認証が済むと、表示手段２０がメッセージの記述を含むＣＨＴＭＬファイルなどのファイルを生成して利用者携帯情報端末３に表示させる（Ｓ１３８）。
【００４９】
また、特定の相手先に送信されたＷＥＢメールなどを受信者が閲覧する場合には、ＩＤやパスワードなどを用いて、制御手段２２が利用者情報記憶手段２３を参照して照合することにより利用者の認証を行う（Ｓ１３９）。
認証が済むと、自分宛のメッセージがあるか否かを制御手段がメッセージ・コンテンツ記憶手段２４を参照して、あった場合には表示手段２０がメッセージ又はメッセージのリストの記述を含むＣＨＴＭＬファイルなどのファイルを生成して利用者携帯情報端末３に表示させる（Ｓ１３８）。メッセージのリストが表示される場合には、リスト中のメッセージへのハイパーリンクを選択することにより、メッセージ及びハイパーリンクにより挿入された画像ファイルなどのコンテンツが表示される。
また音声ファイルの場合には、音声ファイルへのハイパーリンクがメッセージと共に表示され、その表示を選択することにより音声ファイルが表示されるようにする。
【００５０】
以上詳細に説明したように、本発明においては、画像ファイルなどを含むメッセージを端末装置を用いて簡易に行えると共に、メッセージ送信時に適切な課金処理を行い、サーバーシステムに登録し、閲覧できるようにした。またメッセージに送信者の電子メールアドレスへのハイパーリンクが挿入されるようにすれば、登録されたメッセージに対する返信を、利用者携帯情報端末から送信可能にすることができる。さらに請求項１２に記載のように、登録されたメッセージに対する返信を行う際には、利用者携帯情報端末から返信を行う利用者、又はメッセージ登録者に対し利用料金の課金処理が行うこともできる。
【００５１】
次に、これまでに説明したメッセージ及びコンテンツ登録・表示システムを用いることにより、メッセージ登録者に対する適切な課金処理を行いつつ、様々な分野のシステムに用いることにより、文字情報だけでは得られない効果を実現することができる。
請求項７に記載の発明においては、サーバーシステム２のメッセージ・コンテンツ記憶手段２４に利用者の顔写真などのコンテンツとメッセージとを登録することにより、メンバー募集、交際相手募集、仕事募集、その他の利用者同士のマッチングを行うことを特徴とする。
募集等に対する返信は、電子メールによる返信として直接メッセージを登録した利用者の利用者携帯情報端末３に送信されるようにしてもよい。また返信もサーバーシステム２に記憶・蓄積されるようにして、メッセージを登録した利用者にもが閲覧可能なようにＷＥＢメール、ＷＥＢページなどとして表示されるようにすることができる。
【００５２】
サーバーシステム２のメッセージ・コンテンツ記憶手段２４に商品写真などのコンテンツとメッセージを登録することにより、購入者募集、取引相手募集、商品オークション、その他の利用者同士のマッチングを行うことも可能である。
募集に対する返信は上記と同様であり、商品オークション等の場合には、望ましくはサーバーシステム２において返信を記憶管理し、あらかじめ定める所定期間内に受信した返信の中から最高値の落札者に商品購入者を決定するなどして、その結果をサーバーシステム２からメッセージ登録者及び返信により落札した者に通知する。
また利用者同士のマッチングが成立した場合には、利用者携帯情報端末から返信を行う利用者、又はメッセージ登録者に対し利用料金の課金処理が行われるようにすることもできる。
【００５３】
マッチングの具体的な実施形態を下記に説明する。
例えば、利用者の属性情報によるマッチングを行う方法で、前記のように、あらかじめ会員登録などにより利用者に関する情報をサーバーシステム２において登録しておくことができ、利用者情報記憶手段２３に格納しておく。
マッチングに用いられる、利用者情報記憶手段２３に記憶される利用者の属性情報の例としては、例えば、年齢、趣味、身分、収入、職業、居住地域、その他の様々な個人情報などの属性情報である。
メッセージを登録する利用者が、メッセージ・コンテンツ記憶手段２４に利用者の顔写真などのコンテンツとメッセージとを登録する際に、メンバー募集、交際相手募集、仕事募集、その他の募集などのメッセージ掲載にあたって、希望する相手の属性情報を選択・指定等を行う。
希望する相手の属性情報、あるいはメッセージを登録する利用者のあらかじめ記憶されている属性情報と、マッチする利用者を、サーバーシステム２において利用者情報記憶手段２３の中から検索し、抽出する。
抽出された利用者のデータを、メッセージを登録した利用者に対し、電子メールその他の方法により通知をし、マッチングの成立を促進する。
【００５４】
請求項８に記載の発明においては、商品写真などのコンテンツとメッセージを登録することにより、お店紹介、バーゲン情報、広告メッセージ、その他のメッセージ登録を行うことを特徴とする。これらのメッセージは例えば、商品やサービスなどの広告情報を想定するものであり、さらに詳細には、広告チラシ、カタログやパンフレット、写真等の情報を撮影した情報や読み取った情報などである。またクーポン券、割引券などを含めることができる。
またこうした情報を収集・蓄積し、様々な商店・店舗・会社などが登録した情報を、図７に見られるような利用者ごとのフォルダ構造に記憶管理し、商店等が情報を登録・更新し、利用者がこれらの情報を閲覧するためのＷＥＢサイトなどを構築することができる。
請求項９に記載の発明においては、賞品写真などのコンテンツとメッセージを登録することにより、懸賞紹介、懸賞応募者募集、抽選告知・応募者募集、コンテスト告知・応募者募集、その他のメッセージ登録を行うことを特徴とする。
画像データなどによりコンテストの賞品等を告知すると共に、応募要項などをメッセージとして掲載し、返信により応募を収集する。
【００５５】
次に、本発明のメッセージ及びコンテンツ登録・表示システムにおいては、メッセージ及びコンテンツの登録時以外にも、利用者に対する課金処理を行うことができ、例えば請求項１２に記載の発明においては、登録されたメッセージに対する返信を行う際には、利用者携帯情報端末から返信を行う利用者、又はメッセージ登録者に対し利用料金の課金処理が行われる形態を示している。
また請求項１３に記載の発明において、登録されたメッセージに対する返信を、利用者携帯情報端末から送信可能であると共に、登録されたメッセージに対する返信が行われ、利用者同士のマッチングが成立した場合には、利用者携帯情報端末から返信を行う利用者、又はメッセージ登録者に対し利用料金の課金処理が行われる形態を示している。
【００５６】
課金処理の方法としては、例えば利用者のクレジットカード、デビッドカード、プリペイドカード、その他の方法を用いた電子商取引の決済方法が知られている。
また携帯電話などの利用者携帯情報端末が備えるハードウェア又はメモリースティック（商標）などの外部記憶装置に課金処理のための認証情報が記憶され、情報記憶媒体読み取り手段を用いて、利用者が情報記憶媒体を読み取らせ、認証処理がされて所定の課金処理が行われると、制御手段にその処理が正常に完了したことを通知するものであってもよい。
特に、サーバーシステム２において、利用者情報記憶手段２３と連携して、利用者ごとの課金情報記憶手段を設けておくことにより、様々な決済方法による課金処理のための情報を本発明のサーバーシステム２において管理することができる。例えばプリペイド式の課金処理方法を用いて、利用者が使用可能な金銭に換算可能なポイントの残高を管理し、課金処理が行われる際には、ポイント残高から引き落としをすることができる。
サーバーシステム２において、ポイント制などの方法により課金処理情報を管理しておくことの利点としては、ポイント残高を管理しておくことにより、店舗等に設置された端末装置においてメッセージ及びコンテンツの登録を行う際にも、このポイントによる課金処理を行うことができる点である。
例えば請求項６のように、端末装置が備える情報記憶媒体読み取り手段を用いて、利用者のＩＣカード、磁気カード、その他の情報記憶媒体を読み取ることにより利用者の認証を行うなどの認証処理により、利用者情報記憶手段２３及び課金情報記憶手段を参照して、認証処理及び所定の課金処理が行われ、ポイントの使用等をする処理を行う。
【００５７】
さらに、端末装置１においては、課金処理手段２であるコインメカニズムにコインを投入し（Ｓ１００）、コインメカニズムにおいて金銭種別等を判定して金額をカウントし（Ｓ１０１）、支払われた所定の料金は、課金処理手段２が収受する（Ｓ１０４）方法や、あるいは端末装置を設置する店舗等（例えばコンビニエンスストア）において料金を支払うことによりプリペイドカードなどの情報記憶媒体が発行される方法などにより、プリペイドで料金を支払うことにより、端末装置１からサーバーシステム２の課金情報記憶手段に、プリペイドで支払った料金分のポイントを加算する処理を行うこともできる。
すなわち端末装置１においてプリペイドによるポイントの発行を受けることができるので、課金処理方法が利用者にとっても利用しやすいものとなる。
【００５８】
ポイント制を用いた課金処理及びポイント管理方法は、ポイントの加算、商品等の購入時の割引など様々な手法が開発されている。例えば広告を閲覧したり、広告メールを受信したりすることに対するポイントの還元や、商品等の購入履歴に応じたポイントの還元、クイズやゲーム等に参加した結果に応じたポイントの還元や、その他の方法である。
本発明においてもこうした手法を用いることができるが、端末装置１においてメッセージ及びコンテンツの登録を行う際にポイントを利用できると共に、メッセージに対する返信や、マッチングの成立などに際して課金処理が行われる際などにもポイントを使用できるというメリットがある。
また、メッセージの送信先の相手の利用者に対しポイントを付与したりプレゼントしたりする処理も可能である。
あるいは前記の様々なマッチングに参加したり、マッチングが成立した際にポイントが利用者に還元される、あるいは逆に参加費としてポイントが減算されるなどの処理も可能である。
【００５９】
【発明の効果】
以上、詳細に説明したように、本発明によれば、携帯電話会社（通信キャリア）各社ごとに電子メールやＷＥＢファイルなどの形式が異なるため、これらの違いを意識することなく画像や動画像、音声などのコンテンツを含むメッセージを送受信可能なシステムを実現できる。例えば、人の顔写真をメッセージに添付したり、商品写真を掲載したりという応用をすることにより、様々な分野に応用可能なシステムを実現することができる。
さらにこうした場合に、メッセージを送信する者が負担して、課金処理が行われることを条件として送信できるようにすることにより、適切な課金処理が実現できる。また、画像の撮影、通信費用を含む課金処理、送信が簡易な操作で半ば自動的にできるようになれば、利用者は増大し、しかもそのための端末装置をあらかじめ各地に設置するようにすればより利用しやすいシステムを実現することができる
【図面の簡単な説明】
【図１】本発明が備える端末装置の構成を示すブロック図である。
【図２】サーバーシステム２の構成の一例を示す図である。
【図３】本発明の基本的な処理の流れの一例を示すフローチャートである。
【図４】本発明の基本的な処理の流れの一例を示すフローチャートである。
【図５】本発明の基本的な処理の流れの一例を示すフローチャートである。
【図６】本発明の基本的な処理の流れの一例を示すフローチャートである。
【図７】前記のメッセージ・コンテンツ記憶手段の詳細な一例を示す図である。
【図８】本発明の実施形態の一例を示す携帯電話など携帯情報端末の画面を示す画面イメージ図である。
【図９】本発明の実施形態の一例を示す携帯電話など携帯情報端末の画面を示す画面イメージ図である。
【図１０】本発明の実施形態の一例を示す携帯電話など携帯情報端末の画面を示す画面イメージ図である。
【図１】
0004738617.tif 000002
【図２】
0004738617.tif 000003
【図３】
0004738617.tif 000004
【図４】
0004738617.tif 000005
【図５】
0004738617.tif 000006
【図６】
0004738617.tif 000007
【図７】
0004738617.tif 000008
【図８】
0004738617.tif 000009
【図９】
0004738617.tif 000010
【図１０】
0004738617.tif 000011